(57)【要約】  電源装置は、少なくとも１つの他の機器とともに共通の通信線に接続可能である。電源装置は、通信部と、制御部と、を備える。通信部は、他の機器のうち電源装置に接続される第１の機器に、電源装置の存在を示す信号を送信し、他の機器のうち電源装置に接続される第２の機器から、第２の機器の存在を示す信号を受信するように構成されている。制御部は、通信部が第２の機器の存在を示す信号を受信したか否かに基づき、電源装置が共通の通信線の端部に接続されているか否かを判定するように構成されている。
2019146655.tif 000002
【特許請求の範囲】
【請求項１】
少なくとも１つの他の機器とともに共通の通信線に接続可能な電源装置であって、
前記他の機器のうち前記電源装置に接続される第１の機器に、前記電源装置の存在を示す信号を送信し、前記他の機器のうち前記電源装置に接続される第２の機器から、前記第２の機器の存在を示す信号を受信するように構成されている通信部と、
前記通信部が前記第２の機器の存在を示す信号を受信したか否かに基づき、前記電源装置が前記共通の通信線の端部に接続されているか否かを判定するように構成されている制御部と、
を備える電源装置。
【請求項２】
請求項１に記載の電源装置であって、
前記制御部は、前記通信部が前記第２の機器の存在を示す信号を受信しない場合に、前記電源装置が前記共通の通信線の前記端部に接続されていると判定するように構成されている、電源装置。
【請求項３】
請求項１又は２に記載の電源装置であって、
前記共通の通信線に接続可能な終端抵抗を、更に備え、
前記制御部は、前記電源装置が前記共通の通信線の前記端部に接続されていると判定された場合に、前記終端抵抗を前記共通の通信線に接続するように構成されている、電源装置。
【請求項４】
請求項１から３のいずれか一項に記載の電源装置であって、
前記通信部は、前記第１の機器から、前記第１の機器のＩＤを含む信号を受信し、前記第２の機器に、前記電源装置のＩＤを含む信号を送信するように構成され、
前記制御部は、前記第１の機器の前記ＩＤに基づき、前記電源装置の前記ＩＤを設定するように構成されている、電源装置。
【請求項５】
請求項４に記載の電源装置であって、
前記通信部は、前記第２の機器に、前記電源装置の存在を示す信号を送信し、前記第１の機器から、前記第１の機器の存在を示す信号を受信するように構成され、
前記制御部は、前記通信部が前記第１の機器の存在を示す信号を受信しない場合に、前記電源装置の前記ＩＤに所定値を設定するように構成されている、電源装置。
【請求項６】
請求項１から５のいずれか一項に記載の電源装置であって、
前記他の機器には、電源装置又はパワーコンディショナが含まれる、電源装置。
【請求項７】
請求項４から６のいずれか一項に記載の電源装置であって、
前記制御部は、前記共通の通信線を介して、前記他の機器に、前記電源装置が前記共通の通信線の前記端部に接続されているか否かの情報、及び前記電源装置のＩＤの少なくとも１つを報知させる指示を送信するように構成されている、電源装置。
【請求項８】
請求項１から７のいずれか一項に記載の電源装置であって、
前記通信部は、入力用端子及び出力用端子を備え、
前記制御部は、前記通信部の通信を開始するに際し、前記入力用端子及び前記出力用端子の双方から信号の受信を試みるように構成されている、電源装置。
【請求項９】
少なくとも１つの他の機器とともに共通の通信線に接続可能な電源装置を制御するように構成されている制御装置であって、
前記電源装置に、前記他の機器のうち前記電源装置に接続される第１の機器へ、前記電源装置の存在を示す信号を送信させ、
前記電源装置に、前記他の機器のうち前記電源装置に接続される第２の機器から、前記第２の機器の存在を示す信号を受信させ、
前記電源装置が前記第２の機器の存在を示す信号を受信したか否かに基づき、前記電源装置が前記共通の通信線の端部に接続されているか否かを判定する、
ように構成されている、制御装置。
【請求項１０】
少なくとも１つの他の機器とともに共通の通信線に接続可能な電源装置の制御方法であって、
前記他の機器のうち前記電源装置に接続される第１の機器へ、前記電源装置の存在を示す信号を送信するステップと、
前記他の機器のうち前記電源装置に接続される第２の機器から、前記第２の機器の存在を示す信号を受信するステップと、
前記第２の機器の存在を示す信号を受信したか否かに基づき、前記電源装置が前記共通の通信線の端部に接続されているか否かを判定するステップと、
を含む制御方法。
【発明の詳細な説明】
【関連出願の相互参照】
【０００１】
本出願は、２０１８年１月２９日に日本国に特許出願された特願２０１８−１２８７５の優先権を主張するものであり、この先の出願の開示全体をここに参照のために取り込む。
【技術分野】
【０００２】
本開示は、電源装置、電源装置の制御装置、及び電源装置の制御方法に関する。【０００３】
従来、複数の電源装置を制御する技術が知られている。例えば、特許文献１には、複数の電源モジュールで構成される蓄電装置に、電力を充電し、或いは充電した電力を放電するように制御する方法が開示されている。
【先行技術文献】
【特許文献】
【０００４】
【特許文献１】特開２０１５−１６２９３２号公報
【発明の概要】
【０００５】
本開示の実施形態に係る電源装置は、少なくとも１つの他の機器とともに共通の通信線に接続可能である。前記電源装置は、通信部と、制御部と、を備える。前記通信部は、前記他の機器のうち前記電源装置に接続される第１の機器に、前記電源装置の存在を示す信号を送信し、前記他の機器のうち前記電源装置に接続される第２の機器から、前記第２の機器の存在を示す信号を受信するように構成されている。前記制御部は、前記通信部が前記第２の機器の存在を示す信号を受信したか否かに基づき、前記電源装置が前記共通の通信線の端部に接続されているか否かを判定するように構成されている。
【０００６】
本開示の実施形態に係る制御装置は、少なくとも１つの他の機器とともに共通の通信線に接続可能な電源装置を制御するように構成されている。前記制御装置は、前記電源装置に、前記他の機器のうち前記電源装置に接続される第１の機器へ、前記電源装置の存在を示す信号を送信させるように構成されている。前記制御装置は、前記電源装置に、前記他の機器のうち前記電源装置に接続される第２の機器から、前記第２の機器の存在を示す信号を受信させるように構成されている。前記制御装置は、前記電源装置が前記第２の機器の存在を示す信号を受信したか否かに基づき、前記電源装置が前記共通の通信線の端部に接続されているか否かを判定するように構成されている。
【０００７】
本開示の実施形態に係る制御方法は、少なくとも１つの他の機器とともに共通の通信線に接続可能な電源装置の制御方法である。前記制御方法は、前記他の機器のうち前記電源装置に接続される第１の機器へ、前記電源装置の存在を示す信号を送信するステップを含む。前記制御方法は、前記他の機器のうち前記電源装置に接続される第２の機器から、前記第２の機器の存在を示す信号を受信するステップを含む。前記制御方法は、前記第２の機器の存在を示す信号を受信したか否かに基づき、前記電源装置が前記共通の通信線の端部に接続されているか否かを判定するステップを含む。
【図面の簡単な説明】
【０００８】
【図１】本開示の一実施形態に係る電源システムの概略構成図である。
【図２】本開示の一実施形態に係る電源装置の機能ブロック図である。
【図３】本開示の一実施形態に係る電源システムの機器構成の一例を示す図である。
【図４】図３に記載の電源装置が実行する処理の一例のフローチャートである。
【図５】図３の電源システムに電源装置を増設した例を示す図である。
【図６】図３の電源システムから電源装置を撤去した例を示す図である。
【図７】図３に記載の電源装置が実行する処理の他の例のフローチャートである。
【発明を実施するための形態】
【０００９】
複数の電源装置を制御する技術の有用性向上が望まれている。本開示は、共通の通信線に接続される複数の電源装置を制御する技術の有用性を向上させる電源装置、電源装置の制御装置、及び電源装置の制御方法を提供することに関する。本開示によれば、共通の通信線に接続される複数の電源装置を制御する技術の有用性が向上する。以下、本開示の一実施形態について、図面を参照して説明する。本実施形態では、電源装置の一例として、蓄電装置を示す。蓄電装置は、例えば、外部から供給される電力を蓄積することができる。また、蓄電装置は、蓄電された電力を外部に供給することができる。電源装置は、蓄電装置に限られない。電源装置は、外部に電力を供給できればよく、例えば、太陽電池、風力発電装置、水力発電装置及び燃料電池等の電源装置であってもよい。
【００１０】
図１は、本開示の一実施形態に係る電源システム１の一例を示す概略構成図である。電源システム１には、パワーコンディショナ１０及び蓄電装置２０Ａ、２０Ｂ、及び２０Ｃ等の機器が含まれる。電源システム１は、電力系統５０に接続され、電力系統５０に接続された負荷６０等に電力を供給する。電源システム１は、売電可能な電力等を電力系統５０に供給してもよい。負荷６０は、例えば、電力を消費する任意の電気機器等である。以下、蓄電装置２０Ａ、２０Ｂ、及び２０Ｃを特に区別しない場合、単に、蓄電装置２０と総称する。なお、図１において、パワーコンディショナ１０及び蓄電装置２０のそれぞれから電力を供給する際の電力線の図示は省略する。
【００１１】
電源システム１において、パワーコンディショナ１０及び蓄電装置２０等の電源システム１に含まれる機器は、複数の機器が接続可能な共通の通信線３０に接続される。共通の通信線３０は、例えば、バス型に構成されうる。電源システム１に含まれる各機器は、共通の通信線３０上の各ノードに接続される。図１において、ノードを黒丸で示す。本明細書において、共通の通信線３０に設けられたノードのうち、共通の通信線３０上でお互いに最も離れた場所に位置するノードをそれぞれ共通の通信線３０の端部と称する。図１において、電源システム１に含まれる機器のうち、パワーコンディショナ１０及び蓄電装置２０Ｃが、共通の通信線３０の端部に接続されている。更に、電源システム１に含まれる機器は、共通の通信線３０の隣り合うノードに接続された他の機器と、機器同士を１対１で接続するための通信線４０により接続される。図１において、蓄電装置２０Ａは、隣り合うノードに接続されたパワーコンディショナ１０及び蓄電装置２０Ｂのそれぞれと、通信線４０で接続されている。このため、図１において、電源システム１に含まれる機器は、３本の通信線４０により、パワーコンディショナ１０、蓄電装置２０Ａ、２０Ｂ、及び２０Ｃの順に、一列に接続されている。共通の通信線３０及び通信線４０は、信号の送信方向が異なる複数の通信線を含んでもよい。複数の通信線は、ＬＡＮケーブル等のように１つのケーブル状にまとめられてもよい。パワーコンディショナ１０及び蓄電装置２０は、用途に応じて、共通の通信線３０又は通信線４０を介して互いに通信を行う。図１では、一例として、１台のパワーコンディショナ１０と、３台の蓄電装置２０Ａ、２０Ｂ、及び２０Ｃを含む電源システム１が図示されているが、電源システム１に含まれる機器の構成及び数は任意に定められてもよい。例えば、電源システム１に求められる蓄電容量に応じて、蓄電装置２０は、増設又は撤去されてもよい。なお、共通の通信線３０および通信線４０は、有線であっても無線であってもよい。
【００１２】
パワーコンディショナ１０は、ＰＣＳ（Power Conditioning System：電力制御装置）ともいう。パワーコンディショナ１０は、蓄電装置２０から例えば負荷６０等への出力電力を制御し、或いは蓄電装置２０のから出力された直流電力を交流電力に変換して負荷６０等に出力する。
【００１３】
蓄電装置２０は、電力系統５０に接続された負荷６０等に電力を供給する。蓄電装置２０は、売電可能な電力等を電力系統５０に供給してもよい。また、蓄電装置２０は、電力系統５０から供給された電力を蓄積する。蓄電装置２０は、パワーコンディショナ１０から受信した制御信号に基づき、電力の供給、蓄積、及び蓄電装置２０に関する情報の提供等の動作をしてもよい。
【００１４】
図２に、本開示の一実施形態に係る電源装置の一例である蓄電装置２０の概略構成を示す。蓄電装置２０は、制御部２１、セル２２、通信部２３、記憶部２４、報知部２５、入力部２６、終端抵抗２７、及びスイッチ２８を備える。
【００１５】
制御部２１は、詳細を後述するように、蓄電装置２０の各機能を実現するための制御及び処理能力を提供する１つ以上のプロセッサである。制御部２１は、制御手順を規定したプログラムを実行するＣＰＵ（Central Processing Unit）等のプロセッサ又は各機能の処理に特化した専用のプロセッサで構成されてもよい。
【００１６】
制御部２１は、セル２２、通信部２３、記憶部２４、報知部２５、入力部２６、終端抵抗２７、及びスイッチ２８に接続され、これらの各機能部をはじめとして蓄電装置２０の全体または一部を制御及び管理する。制御部２１は、記憶部２４に記憶されているプログラムを取得して、このプログラムを実行することにより、蓄電装置２０の各機能部に係る種々の機能を実現する。制御部２１から他の機能部に制御信号又は各種の情報等を送信する場合、制御部２１と他の機能部とは、有線又は無線により接続されてもよい。制御部２１が行う本実施形態に特徴的な制御については、さらに後述する。また、本実施形態において、制御部２１は、蓄電装置２０が起動されてからの期間等、所定の時間を計測する機能を有してもよい。
【００１７】
セル２２は、制御部２１の制御に基づき、電力の充電及び放電を行う。蓄電装置２０は複数のセル２２を備えていてもよい。セル２２は、複数のセル２２を接続したモジュール単位で、制御部２１により制御及び管理されてもよい。
【００１８】
通信部２３は、制御部２１の制御に基づき、他の機器と通信を行う。例えば、通信部２３は、第１の機器７０Ａ、第２の機器７０Ｂ、及び第３の機器７０Ｃとともに共通の通信線３０に接続される。以下、共通の通信線３０に接続される第１の機器７０Ａ、第２の機器７０Ｂ、及び第３の機器７０Ｃを特に区別しない場合、単に、他の機器７０と総称する。通信部２３は、共通の通信線３０を介して、他の機器７０からの信号を受信し、他の機器７０へ信号を送信する。共通の通信線３０に接続される他の機器７０には、例えば、パワーコンディショナ１０、蓄電装置２０、又は他の電源装置等が含まれてもよい。これにより、蓄電装置２０は、例えば、制御信号を他の機器７０から受信し、受信した制御信号に基づき動作することができる。また、蓄電装置２０は、蓄電量及び故障状況等の蓄電装置２０に関する情報を含む信号を他の機器７０に送信することができる。
【００１９】
更に、共通の通信線３０には、終端抵抗２７及びスイッチ２８が接続されていてもよい。制御部２１によりスイッチ２８が制御されることにより、終端抵抗２７は、共通の通信線３０に接続され、或いは共通の通信線３０から切り離される。終端抵抗２７は、蓄電装置２０が共通の通信線３０の端部に位置する場合に、共通の通信線３０に接続される。これにより、共通の通信線３０の端部における信号の不要な反射を防ぐことができ、共通の通信線３０を介して送信される信号の品質が向上する。
【００２０】
また、通信部２３は、他の機器７０のうち第１の機器７０Ａ及び第２の機器７０Ｂのそれぞれと通信線４０Ａ、４０Ｂ、４０Ｃ、及び４０Ｄにより直接接続される。以下、通信線４０Ａ、４０Ｂ、４０Ｃ、及び４０Ｄを特に区別しない場合、単に、通信線４０と総称する。これにより、共通の通信線３０に接続される蓄電装置２０及び他の機器７０は通信線４０により一列に接続される。通信部２３は、通信線４０を介して、第１の機器７０Ａ及び第２の機器７０Ｂからの信号を受信し、第１の機器７０Ａ及び第２の機器７０Ｂへの信号を送信する。これにより、蓄電装置２０は、前述した共通の通信線３０の使用に向けた準備段階等においても、第１の機器７０Ａ及び第２の機器７０Ｂと通信することができる。共通の通信線３０の使用に向けた準備段階として、例えば、前述した共通の通信線３０の端部に終端抵抗２７が接続されていない場合、或いは、共通の通信線３０において蓄電装置２０を一意に特定するために用いられる情報である識別子が付与されていない場合等が挙げられる。以下、識別子をＩＤ（identifier）と称する。
【００２１】
通信線４０は、図２に矢印で示すように、それぞれ信号の送信方向が異なる通信線を含んでもよい。例えば、通信部２３と第１の機器７０Ａとを接続する通信線４０には、通信部２３から第１の機器７０Ａへの信号が送信される通信線４０Ａと、第１の機器７０Ａから通信部２３への信号が送信される通信線４０Ｂとが含まれていてもよい。同様に、通信部２３と第２の機器７０Ｂとを接続する通信線４０には、第２の機器７０Ｂから通信部２３への信号が送信される通信線４０Ｃと、通信部２３から第２の機器７０Ｂへの信号が送信される通信線４０Ｄとが更に含まれていてもよい。また、通信線４０は、例えば、後述する存在信号及びＩＤ信号等の信号毎に異なる通信線を含んでもよい。
【００２２】
通信部２３は、前述した共通の通信線３０及び通信線４０等に含まれる通信線とそれぞれ接続されるための入力用端子又は出力用端子である端子２９Ａ、２９Ｂ、２９Ｃ、及び２９Ｄを備えてもよい。以下、端子２９Ａ〜２９Ｄを特に区別しない場合、単に、端子２９と総称する。端子２９は、プルアップ抵抗又はプルダウン抵抗を備えた、入出力兼用の端子であってもよい。これにより、端子２９は、制御部２１の制御に基づいて、入力端子又は出力端子として機能することができる。例えば、前述のとおり、第１の機器７０Ａ又は第２の機器７０Ｂから通信部２３が信号を受信するための通信線４０Ｂ及び４０Ｃと接続する端子２９Ｂ及び２９Ｃは入力端子として機能するように制御される入力用端子であってもよい。また、通信部２３から第１の機器７０Ａ又は第２の機器７０Ｂに信号を送信するための通信線４０Ａ及び４０Ｄと接続する端子２９Ａ及び２９Ｄは出力端子として機能するように制御される出力用端子であってもよい。
【００２３】
記憶部２４は、蓄電装置２０の処理に用いられる情報、及び蓄電装置２０の各機能を実現する処理内容を記述したプログラム等を記憶する。記憶部２４は、ワークメモリとして機能してもよい。本実施形態では、記憶部２４は、例えば、後述する蓄電装置２０のＩＤを設定するための処理に用いられる情報等を記憶する。記憶部２４は、前述した制御部２１に含まれるプロセッサのキャッシュメモリ等であってもよい。
【００２４】
報知部２５は、音、振動、ライトの点灯、及び画像等で情報を報知する。報知部２５は、例えばスピーカ、振動子、ライト、及び表示デバイス等の少なくとも１つを含む。表示デバイスは、例えば液晶ディスプレイ又は有機ＥＬディスプレイ等とすることができる。報知部２５は、制御部２１の制御に基づいて、蓄電装置２０のＩＤ、蓄電装置２０に蓄電された電力の残量の情報、及び終端抵抗２７の接続又は未接続の情報等の少なくとも１つを報知してもよい。報知部２５は、自蓄電装置の充電量、劣化度合い、及び故障等の少なくとも１つの情報を報知してもよい。
【００２５】
入力部２６は、ユーザからの入力操作を受け付ける。入力部２６は、例えば電源ボタン等の物理キー、報知部２５の表示デバイスと一体的に設けられたタッチパネル等の入力デバイス、及びマウス等のポインティングデバイス等の少なくとも１つを含む。入力部２６は、ユーザによって操作されると、そのユーザ操作を電子情報として制御部２１に送信する。報知部２５及び入力部２６の少なくとも一方は、例えば、蓄電装置２０から物理的に切り離されたリモコン、タブレット、又はパーソナルコンピュータ等に設けられてもよい。
【００２６】
以下に、制御部２１による蓄電装置２０の各機能の制御について説明する。制御部２１は、通信部２３により、他の機器のうち蓄電装置２０に接続される第１の機器７０Ａに、通信線４０Ａを介して、蓄電装置２０の存在を示す信号を送信する。また、制御部２１は、通信部２３により、他の機器のうち蓄電装置２０に接続される第２の機器７０Ｂから、通信線４０Ｃを介して、第２の機器７０Ｂの存在を示す信号を受信する。以下、これらの機器の存在を示す信号を、存在信号ともいう。存在信号は、任意の信号であってよい。存在信号は、機器の存在を示す情報を含んでもよい。例えば、存在信号は、電圧のハイ又はローによるデジタル信号であってもよい。存在信号の送信は、任意のタイミングにて実施されてもよい。例えば、蓄電装置２０が起動された際に、或いは入力部２６において存在信号を送信するためのユーザ操作が検出された際に、蓄電装置２０の存在信号が送信されてもよい。
【００２７】
制御部２１は、通信部２３が第２の機器７０Ｂの存在を示す信号を受信したか否かに基づき、蓄電装置２０が共通の通信線３０の端部に接続されているか否かを判定する。具体的には、制御部２１は、通信部２３が第２の機器７０Ｂの存在を示す信号を受信しない場合に、第２の機器７０Ｂが存在していない、或いは蓄電装置２０が共通の通信線３０の端部に接続されていると判定してもよい。蓄電装置２０が共通の通信線３０の端部に接続されているとは、共通の通信線３０と接続した機器のうち、蓄電装置２０よりも端部側に接続された機器が存在しない意味を含んでもよい。蓄電装置２０が共通の通信線３０の端部に接続されているか否かの判定が行われた場合に、制御部２１は、判定の結果を記憶部２４に記憶してもよい。第２の機器７０Ｂの存在を示す信号を受信したか否かの判定は、種々の方法で行われてよい。例えば、制御部２１は、蓄電装置２０が起動されてから存在信号を受信せずに所定期間経過した場合に、存在信号を受信しないと判定してもよい。
【００２８】
制御部２１は、蓄電装置２０が共通の通信線３０の端部に接続されていると判定された場合に、終端抵抗２７を共通の通信線３０に接続する。制御部２１は、スイッチ２８を制御することにより、終端抵抗２７を共通の通信線３０に接続する。
【００２９】
制御部２１は、通信部２３により、第１の機器７０Ａから、通信線４０Ｂを介して、第１の機器７０ＡのＩＤを含む信号を受信する。制御部２１は、第１の機器７０ＡのＩＤに基づき、蓄電装置２０のＩＤを設定する。更に、制御部２１は、通信部２３により、第２の機器７０Ｂに、通信線４０Ｄを介して、蓄電装置２０のＩＤを含む信号を送信する。以下、これらの機器のＩＤを含む信号を、ＩＤ信号ともいう。ＩＤは、第１の機器７０Ａ又は蓄電装置２０を含む共通の通信線３０に接続された機器を一意に特定する任意の情報であってもよい。ＩＤは、例えば、連続する整数であってもよい。また、ＩＤ信号は、任意の信号であってよい。例えば、ＩＤ信号は、複数の信号線を用いた電圧のハイ又はローの組み合わせによるデジタル信号であってもよい。また、ＩＤ信号は、振幅変調、周波数変調、又は位相変調等を用いたアナログ信号、或いはＰＷＭ（Pulse Width Modulation）を用いたパルス信号等であってもよい。制御部２１は、第１の機器７０ＡのＩＤ信号を受信すると、信号に含まれる第１の機器７０ＡのＩＤに基づき、蓄電装置２０のＩＤを算出する。例えば、ＩＤが連続する整数である場合、制御部２１は、受信した第１の機器７０ＡのＩＤに１を加算することで、蓄電装置２０のＩＤを算出してもよい。制御部２１は、算出された蓄電装置２０のＩＤを記憶部２４に記憶してもよい。記憶部２４は、例えば、蓄電装置２０の電源が切られ、或いは蓄電装置２０が再起動されるまで、当該ＩＤを記憶してもよい。蓄電装置２０のＩＤが算出された場合に、制御部２１は、通信部２３により、第２の機器７０Ｂに、蓄電装置２０のＩＤ信号を送信してもよい。
【００３０】
制御部２１は、前述した終端抵抗２７の接続、及び蓄電装置２０へのＩＤの設定等を含む、共通の通信線３０の使用に向けた準備が完了すると、共通の通信線３０を介して他の機器７０と通信を開始してもよい。共通の通信線３０を介した通信において、上述のとおり設定された各機器のＩＤが用いられる。これにより、共通の通信線３０を介した通信において、信号の送信元及び送信先と特定した通信が実現される。
【００３１】
制御部２１は、通信部２３により、第２の機器７０Ｂに、通信線４０Ｄを介して、蓄電装置２０の存在を示す信号を送信してもよい。また、制御部２１は、通信部２３により、第１の機器７０Ａから、通信線４０Ｂを介して、第１の機器７０Ａの存在を示す信号を受信してもよい。これにより、前述した第２の機器７０Ｂから蓄電装置２０、及び第１の機器７０Ａへ向かう方向とは逆方向に存在信号が送信される。制御部２１は、通信部２３が第１の機器７０Ａの存在信号を受信したか否かに基づき、第１の機器７０Ａが存在しているか否か、或いは蓄電装置２０が共通の通信線３０の端部に接続されているか否かを判定してもよい。更に、蓄電装置２０が共通の通信線３０の端部に接続されていると判定された場合に、制御部２１は、終端抵抗２７を共通の通信線３０に接続する。制御部２１は、通信部２３が第１の機器７０Ａの存在信号を受信しない場合に、蓄電装置２０のＩＤに所定値を設定する。例えば、ＩＤが連続する整数である場合、所定値は、１であってもよい。制御部２１は、設定された蓄電装置２０のＩＤを記憶部２４に記憶してもよい。第１の機器７０Ａの存在信号を受信したか否かの判定は、種々の方法で行われてよい。例えば、制御部２１は、蓄電装置２０が起動されてから存在信号を受信せずに所定期間経過した場合に、存在信号を受信しないと判定してもよい。
【００３２】
制御部２１は、共通の通信線３０を介して、他の機器７０に、自蓄電装置２０が共通の通信線の端部に接続されているか否かの情報、及び自蓄電装置２０のＩＤの少なくとも１つを報知させる指示を送信する。報知させる指示は、例えば、他の機器７０のディスプレイに表示させる指示であってよい。報知させる指示の送信は、制御部２１により自発的に行われてもよい。また、報知させる指示の送信は、ユーザ操作又は他の機器７０からの送信要求等の、外部からの入力に基づいて行われてもよい。また、報知させる指示には、共通の通信線の端部に接続されているか否かの情報、及び自蓄電装置２０のＩＤ等の報知させる情報が含まれてもよい。他の機器７０は、報知させる指示を受信した場合に、報知させる指示に基づき、蓄電装置２０に関する情報を報知する。例えば、他の機器７０は、共通の通信線３０に接続された各機器から受信した情報をもとに、各機器に重複することなくＩＤが付与されているかを判定してもよい。また、他の機器７０は、共通の通信線３０に接続された各機器から受信した情報をもとに、接続された機器の個数、ＩＤ、或いは接続された終端抵抗２７の位置等の情報を含む、共通の通信線３０のネットワーク構成図を作成し、ディスプレイに表示してもよい。
【００３３】
制御部２１は、通信部２３の通信を開始するに際し、入力用端子及び出力用端子の双方から信号の受信を試みる。例えば、ユーザにより、通信線４０Ａ及び４０Ｂを含むケーブルと、４０Ｃ及び４０Ｄを含むケーブルが蓄電装置２０に接続され、図２に示すように、通信線４０Ａ〜４０Ｄが端子２９Ａ〜２９Ｄにそれぞれ接続されたとする。制御部２１は、通信部２３の通信を開始するに際し、入力用端子２９Ｂ、２９Ｃ、及び出力用端子２９Ａ、２９Ｄのすべてを入力端子として機能するように制御する。通信線４０Ｂ又は４０Ｃを介して入力用端子２９Ｂ又は２９Ｃで信号を受信した場合、制御部２１は、通信線４０Ａ〜４０Ｄが端子２９Ａ〜２９Ｄにそれぞれ接続されていると判定してもよい。通信線４０Ａ〜４０Ｄが端子２９Ａ〜２９Ｄにそれぞれ接続されていると判定されると、制御部２１は、出力用端子２９Ａ及び２９Ｄを出力端子として機能するように制御する。一方で、ケーブルの誤配線により、通信線４０Ｂ又は４０Ｃが端子２９Ａ又は２９Ｄに接続されることがありうる。この場合、通信線４０Ｂ又は４０Ｃを介して出力用端子２９Ａ又は２９Ｄで信号を受信した場合、制御部２１は、通信線４０が誤配線されていると判定してもよい。誤配線と判定されると、制御部２１は、報知部２５を介してユーザにエラーを報知してもよい。或いは、制御部２１は、出力用端子２９Ａ、２９Ｄをそのまま入力端子として機能させ、入力用端子２９Ｂ、２９Ｃを出力端子として機能するように制御してもよい。
【００３４】
本開示において、前述した制御部２１の機能の一部又は全部は、蓄電装置２０を制御する制御装置により提供されてもよい。制御装置は、複数の蓄電装置２０を制御及び管理するためのバッテリーマネジメントシステム（Battery Management System：ＢＭＳ）であってもホームエネルギーマネジメントシステム（Home Energy Management System：ＨＥＭＳ）であってもよい。また、制御装置は、パワーコンディショナ１０であってもよい。制御装置は、蓄電装置２０に内蔵されてもよいし、蓄電装置２０の外部に別体として設けられてもよい。
【００３５】
（電源システムの動作例１）
図３及び図４を参照して、本開示の一実施形態に係る電源システム１が実行する、終端抵抗の接続及びＩＤの付与の処理の一例を説明する。図３は、電源システム１に含まれる、それぞれ共通の通信線３０に接続された、４つ蓄電装置２０Ａ、２０Ｂ、２０Ｃ、及び２０Ｄを示す。蓄電装置２０Ａと蓄電装置２０Ｂ、蓄電装置２０Ｂと蓄電装置２０Ｃ、及び蓄電装置２０Ｃと蓄電装置２０Ｄは、それぞれ通信線４０により一列に接続されている。これにより、蓄電装置２０Ａ〜２０Ｄは、共通の通信線３０の端部に位置する蓄電装置２０Ａ及び２０Ｄが両端に位置するように、通信線４０により一列に接続されている。本実施形態において、ユーザ操作等により、蓄電装置２０Ａの終端抵抗２７は共通の通信線３０に予め接続されているものとする。また、蓄電装置２０ＡのＩＤには予め１が設定されているものとする。説明のため、図３において左側を上位と呼び、右側を下位と呼ぶ。例えば、蓄電装置２０Ａは、蓄電装置２０Ｂの上位に設置されている。また、例えば、蓄電装置２０Ｂは、蓄電装置２０Ａの下位に設置されている。
【００３６】
図３において、例えば、電源システム１に含まれる蓄電装置２０Ａ、２０Ｂ、２０Ｃ、及び２０Ｄの電源が入れられると本処理が開始する。それぞれの蓄電装置２０は、通信線４０を介して、それぞれの上位に位置する蓄電装置に、自蓄電装置２０の存在を示す存在信号を送信する。また、それぞれの蓄電装置２０は、通信線４０を介して、それぞれの下位に位置する蓄電装置から、当該下位に位置する蓄電装置の存在信号を受信する。例えば、蓄電装置２０Ｂは、蓄電装置２０Ａに蓄電装置２０Ｂの存在信号を送信し、蓄電装置２０Ｃから蓄電装置２０Ｃの存在信号を受信する。それぞれの蓄電装置２０は、それぞれの下位に位置する蓄電装置の存在信号を受信しない場合、自蓄電装置２０が共通の通信線３０の端部に接続されていると判定し、自蓄電装置２０の終端抵抗２７を共通の通信線３０に接続する。本例においては、蓄電装置２０Ｄは、それより下位に位置する蓄電装置が接続されていないため、下位に位置する蓄電装置の存在信号を受信しない。したがって、蓄電装置２０Ｄは、終端抵抗２７を共通の通信線３０に接続する。これにより、蓄電装置２０Ａ及び２０Ｄの終端抵抗２７が共通の通信線３０に接続され、蓄電装置２０Ｂ及び２０Ｃの終端抵抗２７が共通の通信線３０に未接続とされる。
【００３７】
また、電源システム１に含まれる蓄電装置２０Ａ、２０Ｂ、２０Ｃ、及び２０Ｄは、それぞれの上位に位置する蓄電装置から、その蓄電装置のＩＤを含むＩＤ信号を受信する。それぞれの蓄電装置２０は、それぞれの上位に位置する蓄電装置のＩＤに基づき、自蓄電装置２０のＩＤを設定する。それぞれの蓄電装置２０は、ＩＤが設定された場合、それぞれの下位に位置する蓄電装置に、自蓄電装置２０のＩＤを含むＩＤ信号を送信する。本電源システム１において、蓄電装置２０ＡのＩＤが予め１と設定されているため、蓄電装置２０Ｂは、蓄電装置２０ＡのＩＤである１を含むＩＤ信号を受信する。蓄電装置２０Ｂは、この情報をもとに、例えば、受信したＩＤの値に１を足す処理を行い、自蓄電装置２０ＢのＩＤに２を設定する。その後、蓄電装置２０Ｂは、蓄電装置２０ＢのＩＤである２を含むＩＤ信号を、蓄電装置２０Ｃに送信する。本処理により、蓄電装置２０Ｂ、２０Ｃ、及び２０ＤのＩＤが、それぞれ２、３、及び４と設定される。
【００３８】
これらの処理の後、共通の通信線３０に接続される蓄電装置２０は、共通の通信線３０を介して、他の蓄電装置と通信を開始する。例えば、蓄電装置２０Ｂ、２０Ｃ、及び２０Ｄは自蓄電装置のＩＤ、及び終端抵抗２７の接続又は未接続の情報を蓄電装置２０Ａに報知させる指示を送信する。これらの指示に基づき、蓄電装置２０Ａは、図３に示すような電源システムの構成図を作成し、自蓄電装置２０Ａの表示デバイス等に表示してもよい。また、蓄電装置２０Ｂ、２０Ｃ、及び２０Ｄは自蓄電装置のＩＤとともに、自蓄電装置の充電量、劣化度合い、及び故障等の少なくとも１つの情報を蓄電装置２０Ａに送信する。これらの情報に基づき、蓄電装置２０Ａは、電源システム１に含まれる蓄電装置を制御及び管理する計画を策定し、それぞれの蓄電装置に制御信号を送信してもよい。蓄電装置２０は、蓄電装置２０のＩＤ、蓄電装置２０に蓄電された電力の残量の情報、及び終端抵抗２７の接続又は未接続の情報等を蓄電装置２０Ａに送信してもよい。
【００３９】
（電源装置の動作例１）
図４を参照して、本開示の一実施形態に係る電源装置の一例である蓄電装置２０が実行する処理の一例を説明する。図３に示した蓄電装置２０Ａ、２０Ｂ、２０Ｃ、及び２０Ｄのいずれか１つによって実行される処理を示すが、その他の蓄電装置においても、それぞれ同様の処理が実行される。
【００４０】
ステップＳ１０１：制御部２１は、共通の通信線３０に接続される他の機器のうち自蓄電装置２０に接続される第１の機器に、通信線４０を介して、自蓄電装置２０の存在を示す信号を送信する。第１の機器は、上位に位置する機器であってよい。
【００４１】
ステップＳ１０２：制御部２１は、他の機器のうち自蓄電装置２０に接続される第２の機器から、通信線４０を介して、第２の機器の存在を示す信号を受信することを試みる。第２の機器は、下位に位置する機器であってよい。
【００４２】
ステップＳ１０３：制御部２１は、通信部２３が第２の機器の存在を示す信号を受信した場合（ステップＳ１０２−Ｙｅｓ）、自蓄電装置２０が共通の通信線３０の端部に接続されていないと判定し、自蓄電装置２０の終端抵抗２７を共通の通信線３０に未接続にする。
【００４３】
ステップＳ１０４：制御部２１は、通信部２３が第２の機器の存在を示す信号を受信しない場合（ステップＳ１０２−Ｎｏ）、自蓄電装置２０が共通の通信線３０の端部に接続されていると判定し、自蓄電装置２０の終端抵抗２７を共通の通信線３０に接続する。
【００４４】
ステップＳ１０５：制御部２１は、自蓄電装置２０にＩＤが付与されているか判定する。自蓄電装置２０にＩＤが付与されていると判定した場合（ステップＳ１０５−Ｙｅｓ）、ステップ１０８の処理を行う。
【００４５】
ステップＳ１０６：制御部２１は、自蓄電装置２０にＩＤが付与されていないと判定した場合（ステップＳ１０５−Ｎｏ）、通信部２３により、第１の機器から、通信線４０を介して、第１の機器のＩＤを含む信号を受信する。
【００４６】
ステップＳ１０７：制御部２１は、第１の機器のＩＤに基づき、自蓄電装置２０のＩＤを設定する。
【００４７】
ステップＳ１０８：制御部２１は、通信部２３から、第２の機器に、通信線４０を介して、自蓄電装置２０のＩＤを含む信号を送信する。
【００４８】
ステップＳ１０９：制御部２１は、共通の通信線３０を介して、共通の通信線３０に接続される他の機器と通信を開始する。
【００４９】
ステップＳ１１０：制御部２１は、共通の通信線３０を介して、共通の通信線３０に接続される他の機器に、自蓄電装置２０が共通の通信線３０の端部に接続されているか否かの情報、及び自蓄電装置２０のＩＤの少なくとも１つを報知させる指示を送信する。
【００５０】
（電源システムの動作例２）
図３、及び図５〜図７を参照して、本開示の一実施形態に係る電源システム１が実行する、終端抵抗の接続及びＩＤの付与の処理の他の例を説明する。本動作例２においても、電源システム１は図３に示すとおり、上述した動作例１と同様の構成とすることができる。一方で、本実施形態において、蓄電装置２０Ａ、２０Ｂ、２０Ｃ、及び２０Ｄそれぞれの終端抵抗２７は共通の通信線３０に予め接続されていないものとする。また、蓄電装置２０Ａ、２０Ｂ、２０Ｃ、及び２０ＤそれぞれのＩＤも予め設定されていないものとする。説明のため、図５において左側を上位と呼び、右側を下位と呼ぶ。例えば、蓄電装置２０Ａは、蓄電装置２０Ｂの上位に設置されている。
【００５１】
図３において、例えば、電源システム１に含まれる蓄電装置２０Ａ、２０Ｂ、２０Ｃ、及び２０Ｄの電源が入れられると本処理が開始する。それぞれの蓄電装置は、通信線４０を介して、それぞれの上位に位置する蓄電装置に、自蓄電装置の存在を示す存在信号を送信する。また、それぞれの蓄電装置２０は、通信線４０を介して、それぞれの下位に位置する蓄電装置から、当該下位に位置する蓄電装置の存在信号を受信する。例えば、蓄電装置２０Ｂは、蓄電装置２０Ａに蓄電装置２０Ｂの存在信号を送信し、蓄電装置２０Ｃから蓄電装置２０Ｃの存在信号を受信する。それぞれの蓄電装置２０は、それぞれの下位に位置する蓄電装置の存在信号を受信しない場合、自蓄電装置が共通の通信線３０の端部に接続されていると判定し、自蓄電装置の終端抵抗２７を共通の通信線３０に接続する。本例においては、蓄電装置２０Ｄは、それより下位に位置する蓄電装置が接続されていないため、下位に位置する蓄電装置の存在信号を受信しない。したがって、蓄電装置２０Ｄは、終端抵抗２７を共通の通信線３０に接続する。
【００５２】
次に、それぞれの蓄電装置２０は、通信線４０を介して、それぞれの下位に位置する蓄電装置に、自蓄電装置の存在信号を送信する。また、それぞれの蓄電装置は、通信線４０を介して、それぞれの上位に位置する蓄電装置から、当該上位に位置する蓄電装置の存在信号を受信する。例えば、蓄電装置２０Ｂは、蓄電装置２０Ｃに蓄電装置２０Ｂの存在信号を送信し、蓄電装置２０Ａから蓄電装置２０Ａの存在信号を受信する。それぞれの蓄電装置２０は、それぞれの上位に位置する蓄電装置の存在信号を受信しない場合、自蓄電装置が共通の通信線３０の端部に接続されていると判定し、自蓄電装置の終端抵抗２７を共通の通信線３０に接続する。本例においては、蓄電装置２０Ａは、それより上位に位置する蓄電装置が接続されていないため、上位に位置する蓄電装置の存在信号を受信しない。したがって、蓄電装置２０Ａは、終端抵抗２７を共通の通信線３０に接続する。これにより、蓄電装置２０Ａ及び２０Ｄの終端抵抗２７が共通の通信線３０に接続され、蓄電装置２０Ｂ及び２０Ｃの終端抵抗２７が共通の通信線３０に未接続とされる。更に、それぞれの蓄電装置は、上位に位置する蓄電装置の存在を示す信号を受信しない場合、その蓄電装置のＩＤに所定値である１を設定する。これにより、蓄電装置２０ＡのＩＤが１と設定される。
【００５３】
電源システム１に含まれる蓄電装置２０Ａ、２０Ｂ、２０Ｃ、及び２０Ｄは、それぞれの上位に位置する蓄電装置から、その蓄電装置のＩＤを含むＩＤ信号を受信する。それぞれの蓄電装置２０は、それぞれの上位に位置する蓄電装置のＩＤに基づき、自蓄電装置のＩＤを設定する。それぞれの蓄電装置２０は、ＩＤが設定された場合、それぞれの下位に位置する蓄電装置に、自蓄電装置のＩＤを含む信号を送信する。本電源システム１において、蓄電装置２０ＡのＩＤが１と設定されたため、本処理により、蓄電装置２０Ｂ、２０Ｃ、及び２０ＤのＩＤが、それぞれ２、３、及び４と設定される。これらの処理の後、共通の通信線３０に接続されるそれぞれの蓄電装置２０は、共通の通信線３０を介して、他の蓄電装置と通信を開始する。
【００５４】
本実施形態に係る電源システム１は、蓄電装置の増設、撤去をすることにより、蓄電容量の増加、削減を行うことができる。例えば、図５には、図３に示す電源システム１に蓄電装置２０Ｅを増設した電源システム１を示す。図３に示す電源システム１は、上述の処理によって、蓄電装置２０Ａ及び２０Ｄの終端抵抗２７が共通の通信線３０に接続され、蓄電装置２０Ａ、２０Ｂ、２０Ｃ、及び２０ＤのＩＤが、それぞれ１、２、３、及び４と設定されているものとする。その後、ユーザにより、蓄電装置２０Ｅの増設を行うために、電源システム１の電源が落とされる。電源を落とされると、蓄電装置２０Ａ〜２０Ｄに設定されたＩＤはクリアされる。蓄電装置２０Ｅは、ユーザにより、電源システム１の電源が落とされた状態において、共通の通信線３０と接続され、蓄電装置２０Ｄと通信線４０により接続される。この状態において、電源システム１に含まれる蓄電装置２０Ａ、２０Ｂ、２０Ｃ、２０Ｄ、及び２０Ｅの電源が入れられる。これにより、前述した処理と同様の処理が行われることで、蓄電装置２０Ａ及び２０Ｅの終端抵抗２７が共通の通信線３０と接続され、蓄電装置２０Ｂ、２０Ｃ、及び２０Ｄの終端抵抗２７が共通の通信線３０と未接続にされる。また、蓄電装置２０Ａ、２０Ｂ、２０Ｃ、２０Ｄ、及び２０ＥのＩＤがそれぞれ、１、２、３、４、及び５と改めて設定される。これらの処理の後、共通の通信線３０に接続される蓄電装置２０は、共通の通信線３０を介して、他の蓄電装置と通信を開始することができる。
【００５５】
図６には、図３に示す電源システム１から蓄電装置２０Ａを撤去した電源システム１を示す。図３に示す電源システム１は、上述の処理によって、蓄電装置２０Ａ及び２０Ｄの終端抵抗２７が共通の通信線３０に接続され、蓄電装置２０Ａ、２０Ｂ、２０Ｃ、及び２０ＤのＩＤが、それぞれ１、２、３、及び４と設定されているものとする。その後、ユーザにより、蓄電装置２０Ａの撤去を行うために、電源システム１の電源が落とされる。電源を落とされると、蓄電装置２０Ａ〜２０Ｄに設定されたＩＤはクリアされる。蓄電装置２０Ａは、ユーザにより、共通の通信線３０から取り外され、蓄電装置２０Ｂとの通信線４０による接続も取り外される。この状態において、電源システム１に含まれる蓄電装置２０Ｂ、２０Ｃ、及び２０Ｄの電源が再度入れられる。前述した処理と同様の処理が行われることで、蓄電装置２０Ｂ及び２０Ｄの終端抵抗２７が共通の通信線３０と接続され、蓄電装置２０Ｃの終端抵抗２７が共通の通信線３０と未接続にされる。また、蓄電装置２０Ｂ、２０Ｃ、及び２０ＤのＩＤがそれぞれ１、２、及び３と改めて設定される。これらの処理の後、共通の通信線３０に接続される蓄電装置２０は、共通の通信線３０を介して、他の機器と通信を開始することができる。
【００５６】
（電源装置の動作例２）
図７を参照して、本開示の一実施形態に係る電源装置の一例である蓄電装置２０が実行する処理の他の例を説明する。図３、５、及び６に示した蓄電装置のいずれか１つによって実行される処理を示すが、その他の蓄電装置においても、それぞれ同様の処理が実行される。
【００５７】
ステップＳ２０１：制御部２１は、共通の通信線３０に接続される他の機器のうち自蓄電装置２０に接続される第１の機器に、通信線４０を介して、自蓄電装置２０の存在を示す信号を送信する。
【００５８】
ステップＳ２０２：制御部２１は、他の機器のうち自蓄電装置２０に接続される第２の機器から、通信線４０を介して、第２の機器の存在を示す信号を受信することを試みる。
【００５９】
ステップＳ２０３：制御部２１は、通信部２３が第２の機器の存在を示す信号を受信した場合（ステップＳ２０２−Ｙｅｓ）、自蓄電装置２０が共通の通信線３０の端部に接続されていないと判定し、自蓄電装置２０の終端抵抗２７を共通の通信線３０に未接続にする。
【００６０】
ステップＳ２０４：制御部２１は、通信部２３が第２の機器の存在を示す信号を受信しない場合（ステップＳ２０２−Ｎｏ）、自蓄電装置２０が共通の通信線３０の端部に接続されていると判定し、自蓄電装置２０の終端抵抗２７を共通の通信線３０に接続する。
【００６１】
ステップＳ２０５：制御部２１は、共通の通信線３０に接続される他の機器のうち自蓄電装置２０に接続される第２の機器に、自蓄電装置２０の存在を示す信号を送信する。
【００６２】
ステップＳ２０６：制御部２１は、他の機器のうち自蓄電装置２０に接続される第１の機器から、第１の機器の存在を示す信号を受信することを試みる。
【００６３】
ステップＳ２０７：制御部２１は、通信部２３が第１の機器の存在を示す信号を受信した場合（ステップＳ２０６−Ｙｅｓ）、通信部２３により、第１の機器から、第１の機器のＩＤを含む信号を受信する。
【００６４】
ステップＳ２０８：制御部２１は、第１の機器のＩＤに基づき、自蓄電装置２０のＩＤを設定する。
【００６５】
ステップＳ２０９：制御部２１は、通信部２３が第１の機器の存在を示す信号を受信しない場合（ステップＳ２０６−Ｎｏ）、自蓄電装置２０が共通の通信線３０の端部に接続されていると判定し、終端抵抗２７を共通の通信線３０に接続する。
【００６６】
ステップＳ２１０：制御部２１は、自蓄電装置２０のＩＤに所定値を設定する。
【００６７】
ステップＳ２１１：制御部２１は、通信部２３から、第２の機器に、自蓄電装置２０のＩＤを含む信号を送信する。
【００６８】
ステップＳ２１２：制御部２１は、共通の通信線３０を介して、共通の通信線３０に接続される他の機器と通信を開始する。
【００６９】
ステップＳ２１３：制御部２１は、共通の通信線３０を介して、共通の通信線３０に接続される他の機器に、自蓄電装置２０が共通の通信線３０の端部に接続されているか否かの情報、及び自蓄電装置２０のＩＤの少なくとも１つを報知させる指示を送信する。
【００７０】
以上述べたように、本実施形態によれば、電源装置は、少なくとも１つの他の機器とともに共通の通信線３０に接続可能である。電源装置は、通信部２３と、制御部２１と、を備える。通信部２３は、他の機器のうち電源装置に接続される第１の機器に、電源装置の存在を示す信号を送信し、他の機器のうち電源装置に接続される第２の機器から、第２の機器の存在を示す信号を受信するように構成されている。制御部２１は、通信部２３が第２の機器の存在を示す信号を受信したか否かに基づき、電源装置が共通の通信線３０の端部に接続されているか否かを判定するように構成されている。より具体的には、制御部２１は、通信部２３が第２の機器の存在を示す信号を受信しない場合に、電源装置が共通の通信線３０の端部に接続されていると判定するように構成されている。このように、共通の通信線３０に接続される電源装置は、共通の通信線３０の使用に向けた準備段階等において、自電源装置が共通の通信線３０の端部に接続されているか否かを判定することができる。このため、共通の通信線に接続される複数の電源装置を制御する技術の有用性が向上する。
【００７１】
本実施形態によれば、電源装置は、共通の通信線３０に接続可能な終端抵抗２７を、更に備える。制御部２１は、電源装置が共通の通信線３０の端部に接続されていると判定された場合に、終端抵抗２７を共通の通信線３０に接続するように構成されている。これにより、共通の通信線３０に終端抵抗２７を接続することができ、例えば、終端抵抗２７を手作業で接続し、或いは終端抵抗２７の接続・非接続を手作業で切り替えなくてもよい。このため、共通の通信線に接続される複数の電源装置を制御する技術の有用性が向上する。
【００７２】
本実施形態によれば、通信部２３は、第１の機器から、第１の機器のＩＤを含む信号を受信し、第２の機器に、電源装置のＩＤを含む信号を送信するように構成されている。制御部２１は、第１の機器のＩＤに基づき、電源装置のＩＤを設定するように構成されている。これにより、共通の通信線３０に接続される電源装置にＩＤを重複なく一意に識別可能に設定することができ、共通の通信線に接続される複数の電源装置を制御する技術の有用性が向上する。
【００７３】
本実施形態によれば、通信部２３は、第２の機器に、電源装置の存在を示す信号を送信し、第１の機器から、第１の機器の存在を示す信号を受信するように構成されている。制御部２１は、通信部２３が第１の機器の存在を示す信号を受信しない場合に、電源装置のＩＤに所定値を設定するように構成されている。これにより、いずれかの電源装置のＩＤの事前設定等を行うことなく、共通の通信線３０に接続される電源装置にＩＤを設定することができる。
【００７４】
本実施形態によれば、他の機器には、電源装置又はパワーコンディショナ１０が含まれる。これにより、電源システム１は柔軟な機器構成をとりうることができ、共通の通信線に接続される複数の電源装置を制御する技術の有用性が向上する。
【００７５】
本実施形態によれば、制御部２１は、共通の通信線３０を介して、他の機器に、電源装置が共通の通信線３０の端部に接続されているか否かの情報、及び電源装置のＩＤの少なくとも１つを報知させる指示を送信するように構成されている。これにより、共通の通信線３０に接続される電源装置に関する情報を任意の機器によりユーザに提供することができ、共通の通信線に接続される複数の電源装置を制御する技術の有用性が向上する。
【００７６】
本実施形態によれば、通信部２３は、入力用端子及び出力用端子を備える。制御部２１は、通信部２３の通信を開始するに際し、入力用端子及び出力用端子の双方から信号の受信を試みるように構成されている。これにより、ケーブルの誤配線等により、出力用端子に接続される通信線４０Ｂから信号を受信した場合において、端子等が故障することを未然に防ぐことができる。
【００７７】
本実施形態によれば、制御装置は、少なくとも１つの他の機器とともに共通の通信線３０に接続可能な電源装置を制御するように構成されている。制御装置は、電源装置に、他の機器のうち電源装置に接続される第１の機器へ、電源装置の存在を示す信号を送信させるように構成されている。制御装置は、電源装置に、他の機器のうち電源装置に接続される第２の機器から、第２の機器の存在を示す信号を受信させるように構成されている。制御装置は、電源装置が第２の機器の存在を示す信号を受信したか否かに基づき、電源装置が共通の通信線３０の端部に接続されているか否かを判定するように構成されている。このように、電源装置を制御するバッテリーマネジメントシステム又はホームエネルギーマネジメントシステム等の制御装置において、共通の通信線３０に接続される電源装置が、共通の通信線３０の端部に接続されているか否かを判定することができるように構成されている。制御装置は、電源装置に内蔵されてもよいし、電源装置の外部に別体として設けられてもよい。このため、共通の通信線に接続される複数の電源装置を制御する技術の有用性が向上する。
【００７８】
前述の実施形態は代表的な例として説明したが、本開示の趣旨及び範囲内で、多くの変更及び置換ができることは当業者に明らかである。従って、本開示は、前述の実施形態によって制限するものと解するべきではなく、特許請求の範囲から逸脱することなく、種々の変形又は変更が可能である。例えば、各手段、又は各ステップ等に含まれる機能等は論理的に矛盾しないように再配置可能であり、複数の手段又はステップ等を１つに組み合わせたり、或いは分割したりすることが可能である。
【００７９】
例えば、前述した実施形態において、電源装置は、蓄電装置であるものとして説明したが、この限りではない。電源装置は、例えば、太陽電池、風力発電装置、及び燃料電池等であってもよい。
【符号の説明】
【００８０】
１  電源システム
１０  パワーコンディショナ
２０  蓄電装置
２１  制御部
２２  セル
２３  通信部
２４  記憶部
２５  報知部
２６  入力部
２７  終端抵抗
２８  スイッチ
２９  端子（２９Ａ、２９Ｄ：出力用端子、２９Ｂ、２９Ｃ：入力用端子）
３０  共通の通信線
４０  通信線
５０  電力系統
６０  負荷
７０  他の機器（７０Ａ：第１の機器、７０Ｂ：第２の機器、７０Ｃ：第３の機器）
【図１】
2019146655.tif 000003
【図２】
2019146655.tif 000004
【図３】
2019146655.tif 000005
【図４】
2019146655.tif 000006
【図５】
2019146655.tif 000007
【図６】
2019146655.tif 000008
【図７】
2019146655.tif 000009
【国際調査報告】
2019146655.tif 000010
2019146655.tif 000011